【事件の表示】
　特願２０１０−１１８９９５号「防音パネル」拒絶査定不服審判事件〔平成２３年１２月　８日出願公開、特開２０１１−２４６９０２号〕について、次のとおり審決する。
【結　論】
　本件審判の請求は、成り立たない。
【理　由】
第１　手続の経緯
　本願は、平成２２年５月２５日の出願であって、平成２６年１月２２付けで拒絶査定がなされ、これに対して同年４月２４日に拒絶査定不服審判請求がなされると同時に手続補正がなされたものである。
　
　
第２　平成２６年４月２４日付け手続補正の却下の決定
〔補正却下の決定の結論〕
　平成２６年４月２４日付け手続補正を却下する。
　
〔理由〕
１　本件補正の内容
（１）平成２６年４月２４日付け手続補正（以下「本件補正」という。）は、特許請求の範囲及び発明の詳細な説明についてするものであって、特許請求の範囲については、本件補正前の請求項１に、
「面板の周囲に枠材が配置された防音パネルであって、
上方から流下する雨水を面板の一方の面に導く導水路が設けられ、
該導水路においては雨水が導かれる前記面板の内側の面と前記面板の上部に配置された上枠材の内側面との間に雨水が伝わる隙間が形成され、
該隙間の全部又は一部に１ｍｍ以上２ｍｍ以下の大きさに形成された幅狭部が形成されていると共に、雨水が導かれる前記面板の内側の面には前記幅狭部の部分を含めて親水性が付与されて前記幅狭部へ流れ落ちた雨水の水滴が前記面板の内側の面に接触して、該内側の面へ導かれるようになされていることを特徴とする防音パネル。」とあったものを、
「面板の周囲に枠材が配置された防音パネルであって、
上方から流下する雨水を面板の一方の面に導く導水路が設けられ、
該導水路においては雨水が導かれる前記面板の内側の面と前記面板の上部に配置された上枠材の内側面との間に雨水が伝わる隙間が形成され、
該隙間の全部又は一部に１ｍｍ以上２ｍｍ以下の大きさに形成された幅狭部が形成されていると共に、雨水が導かれる前記面板の内側の面には前記幅狭部の部分を含めて親水性が付与されて前記幅狭部へ流れ落ちた雨水の水滴が前記面板の内側の面に接触して、該内側の面へ導かれるようになされて
おり、
上枠材の内側面と前記面板の内側の面との間に形成された１ｍｍ以上２ｍｍ以下の大きさの前記幅狭部において、前記上枠材の内側面の面上を流れ落ちる雨水の水滴の端部分が前記面板の内側の面と接触し、該内側の面へ導かれて洗浄するようになされている
　
（２）本件補正後の請求項１に係る上記（１）の補正は、本件補正前の請求項１に係る発明の発明特定事項である「幅狭部」について、
「上枠材の内側面と前記面板の内側の面との間に形成された１ｍｍ以上２ｍｍ以下の大きさの前記幅狭部において、前記上枠材の内側面の面上を流れ落ちる雨水の水滴の端部分が前記面板の内側の面と接触し、該内側の面へ導かれて洗浄するようになされていること」に限定するものである。
　
２　補正の目的
　本件補正後の請求項１に係る本件補正は、上記１（２）のとおり、本件補正前の請求項１に係る発明を特定するために必要な事項を限定するものであり、かつ、補正前の請求項１に記載された発明と補正後の請求項１に記載された発明の産業上の利用分野及び解決使用とする課題が同一であるので、本件補正は、特許法第１７条の２第５項第２号に掲げる特許請求の範囲の減縮を目的とする補正事項を含むものである。
３　独立特許要件
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について、以下検討する。
（１）引用例
　原審の拒絶の理由で引用された、本願の出願前に頒布された刊行物である特開２０００−２０４５２０号公報（以下「引用例」という。）には、図面とともに次の事項が記載されている。（下線は当審で付した。）
　ア　「【発明の詳細な説明】
【０００１】
【発明の属する技術分野】本発明は、道路や鉄道の沿線等に沿って設置される防音パネルの洗浄構造及びこの洗浄構造を備えた防音壁に関するものである。
【０００２】
【従来の技術】車両からの騒音を遮断するために、道路や鉄道の沿線等に沿って防音壁が設置される。かかる防音壁に用いられる防音パネルは、不透明な面板から形成されたものもあるが、不透明な面板から形成された防音パネルは、その不透明性により周囲の風景が遮られるため、圧迫感があり、また景観性に乏しいことから、最近では、周囲の風景が遮られることのないように、透視性を有する面板により形成された防音パネルが富に用いられている。
【０００３】
【発明が解決しようとする課題】しかしながらかかる防音パネルは、設置されて常に車両の排気ガスや塵埃にさらされているために、排気ガスや塵埃等により汚染され、景観を損なう問題がある。特に透視性を有する防音パネルでは、汚染がよく目立ち、又その汚染により透視性が損なわれる恐れがある。
【０００４】もっとも防音パネルは、時々降雨に晒されることから、雨水による洗浄が期待される。しかしながらこれも降雨に晒される範囲のみであって、例えば、防音パネルが高架道路の下に設置されたり、道路の上方に湾曲して設置された場合においては、民地側となる防音パネルの外側の面は、降雨に晒されやすく、雨水による洗浄も期待できるが、道路側となる防音パネルの内側の面は、降雨に晒されにくく、且つ外側の面よりも汚染が激しいことから、あまりこの雨水による洗浄は期待できない。すなわち上記の例では、防音パネルの内側の面は、自然の降雨のみでは内側の面を伝う雨水が微量であり、付着した汚染物質を効果的に洗い流すことができない。汚染物質が付着して堆積すると、多量の水を供給しても効果的に洗浄できなくなることから、防音パネルの内側の面は、汚染物質が堆積する前に、作業車で直接水を噴射したり、スプリンクラー等により定期的に洗浄する必要がある。
【０００５】なお、防音パネルの表面に光触媒含有層を形成し、この光触媒含有層に紫外線を照射すれば、光触媒が活性化されてその表面が親水化され、汚染物質が付着しにくくなり、又付着した汚染物質は降雨に晒されると、雨水により容易に洗浄されることが知られている。しかしながら、上記の例の如き降雨に晒されにくい防音パネルの内側の面にあっては、自然の降雨のみでは、この光触媒含有層による洗浄も期待できない。そこで光触媒含有層を形成していても防音パネルの内側の面は、やはり作業車で直接水を噴射したり、スプリンクラー等により定期的に洗浄する必要がある。
【０００６】そこで本発明は上記の如き問題を解決し、雨水によって効果的に防音パネルの洗浄がなされる防音パネルの洗浄構造及びこの洗浄構造を備えた防音壁を提供せんとするものである。
【０００７】
【課題を解決するための手段】上記目的を達成するために、本発明は次のような構成としている。すなわち、本発明に係る請求項１に記載の防音パネルの洗浄構造は、防音パネルを上下に積み重ねることによって、上下に隣接する上段の防音パネルの下部より下段の防音パネルの上部にかけて導水孔が形成され、上段の防音パネルの外側の面上に降った雨水が、導水孔を伝って下段の防音パネルの内側の面上に導かれるようになされたことを特徴とするものである。
【０００８】又本発明に係る請求項２に記載の防音パネルの洗浄構造は、前記請求項１記載の防音パネルの洗浄構造において、防音パネルは、面板の周囲に枠材が配置され、導水孔は、上段の防音パネルの面板の外側の面上に降った雨水が、上段の防音パネルの下枠材の外側の面から、下段の防音パネルの上枠材の中を伝って、その下段の防音パネルの面板の内側の面上に導かれるように形成されていることを特徴とするものである。」
【０００９】〜【００２６】は省略。
【００２７】本発明に係る請求項１〜１３に記載の防音パネルの洗浄構造によれば、降った雨水が防音パネルの内側の面上に導かれ、その導かれた雨水により内側の面上に付着した汚染物質が洗い流される。従って、防音パネルが高架道路の下に設置されたり、道路の上方に湾曲して設置された場合等においても、降雨に晒されにくい道路側となる防音パネルの内側の面も自然の降雨によって効果的に洗浄される。
【００２８】〜【００３１】は省略。
【００３２】又本発明に係る請求項１９に記載の防音パネルの洗浄構造によれば、防音パネルの内側及び／又は外側の面上に光触媒含有層が形成され、光触媒含有層に紫外線を照射することにより光触媒が活性化されてその表面が親水化されているので、汚染物質が付着しにくく、又付着した汚染物質は雨水により効果的に洗浄される。すなわち二酸化チタン等の光触媒は、紫外線を照射することにより活性化されて強い酸化力を発現すると共にその表面は親水化され、塵埃や車両の排気ガス等の汚染物質が表面に付着しても、強い酸化力によって汚染物質が分解されると共に、親水化された表面によって、表面に付着する汚染物質と表面との間に水が割り込んで汚染物質を浮かせるために付着しにくく、また付着しても降雨により容易に洗い流されて除去されるため、汚染物質が堆積しにくくなる。
【００３３】又本発明に係る請求項２０に記載の防音壁によれば、上記の如き防音パネルの洗浄構造を備えているので、降雨の度ごとに防音パネルが洗浄されるので、汚染により景観を損なうとか透視性が損なわれるとか言った問題等が解消される。」
　
　イ　「【００３４】
【発明の実施の形態】次に、本発明の実施の形態について図面を参照し、具体的に説明する。まず図１は本発明に係る防音パネルの洗浄構造を備えた防音壁の実施の一形態を示す側面図、図２はその正面図、図３は洗浄構造の部分を示す主要部の部分拡大図である。
【００３５】図１〜３における形態は、高速道路等の側縁に道路の長手方向に沿って所定間隔をおいて立設されたＨ型鋼からなる支柱Ａと、この支柱Ａ間に上下に積み重ねられて支持された防音パネル１とから構成されたものであって、垂直状の下部から上部が道路の上方に湾曲され、すなわち民地側となされた防音パネル１の外側の面１１を凸曲面とし、車道側となされた防音パネル１の内側の面１２を凹曲面として設置されている。
【００３６】各
防音パネル１
透視性を有
又は不透明な
面板２ａ，２ｂに長手方向の上枠材３及び下枠材４
左右の縦枠材が配置され、これら上枠材３及び下枠材４等にに形成された差込溝３１，４１に面板２ａ，２ｂの端部が挿入されて形成され
【００３７】そして前記防音パネル１は、下段の防音パネル１ｂの上枠材３に、上段の防音パネル１ａの下枠材４を相対向させて順次上下に積み重ねられている。さらに、
上下に隣接する上段の防音パネル１ａの下部より下段の防音パネル１ｂの上部にかけて
形成され
導水孔５は
その入口を上段の防音パネル１ａの外側の面１１とし、出口を下段の防音パネル１ｂの内側の面１２として、上段の防音パネル１ａの下枠材４の下面と下段の防音パネル１ｂの上枠材３の上面との間に設けられた隙間と、その隙間に連通して下段の防音パネル１ｂの上枠材３の差込溝３１の一方の内壁３２とその面板２ｂの内側の面１２との間に設けた隙間とにより形成され
【００３８】一般には、降雨の際、凸曲面とした防音パネル１の外側の面１１は降雨に晒されやすく、凹曲面とした内側の面１２は降雨に晒されにくいが、かかる導水孔５を設けることにより、
上段の防音パネル１ａの外側の面１１上に降った雨水Ｗが、導水孔５を伝って下段の防音パネル１ｂの内側の面１２上に導かれ
防音パネル１の外側の面１１は直接に雨水Ｗが降りかかるために洗浄され、又防音パネル１の内側の面１２は導水孔５から導かれた雨水Ｗによって洗浄され
【００３９】上段の防音パネル１ａの下部より下段の防音パネル１ｂの上部にかけて形成される導水孔５は、上記形態に限定されるものではなく、上段の防音パネル１ａの外側の面１１上に降った雨水Ｗが、下段の防音パネル１ｂの内側の面１２上に導かれるようになされていればよい。
【００４０】すなわち、上記形態では、雨水Ｗが上段の防音パネル１ａの下枠材４の外側の面１１から、導水孔５を伝って下段の防音パネル１ｂの内側の面１２上に導かれるようになされているが、図４〜５に示される如く、雨水Ｗが上段の防音パネル１ａの下枠材４の中を通って下段の防音パネル１ｂの内側の面１２上に導かれるようになされていてもよい。図４〜５に示された形態の導水孔５は、上段の防音パネル１ａの外側の面１１上に降った雨水Ｗを導水孔５に導くために、入口を上段の防音パネル１ａの外側の面１１とし、導水孔５に導かれた雨水Ｗを下段の防音パネル１ｂの内側の面１２上に導くために、出口を下段の防音パネル１ｂの内側の面１２とするのは前記図３の形態と同様であるが、上段の防音パネル１ａの下枠材４の差込溝４１の一方の内壁４３とその面板２ａの外側の面１１との間に設けた隙間と、その隙間に連通して下段の防音パネル１ｂの上枠材３の差込溝３１の一方の内壁３２とその面板２ｂの内側の面１２との間に設けた隙間とにより形成されている。なお、図４は枠材３，４に対して面板２ａ，２ｂを外側に偏位させて取付けた場合を示し、図５は内側に偏位させて取付けた場合を示している。
【００４１】
なお雨水Ｗは、表面張力を有しているために、特に雨水Ｗが少量の場合は、導水孔５の入口から出口に通ずる各内壁に付着しつつ伝って流れるものである
　
　ウ　「【００６２】以上、説明した図１〜２０の防音パネル１は、いずれも自然の降雨のみによって洗浄されるようになされているが、さらに
防音パネル１の内側の面１２及び／又は外側の面１１上に光触媒含有層を形成し、光触媒含有層に紫外線を照射することにより光触媒を活性化され、その表面を親水化
汚染物質が付着しにくく、又付着した汚染物質は雨水Ｗにより効果的に洗浄される
【００６３】なお光触媒の種類は特に限定されるものではないが、一般には二酸化チタンが好適に用いられる。二酸化チタンは、ルチル型でもよいが、活性の高さからアナターゼ型のものが好ましく、この二酸化チタンに波長領域が３００〜４００ｎｍ付近の紫外線を照射することによって活性化され、その活性化によって強い酸化力が発現されて、表面に付着した汚染物質は分解されると共に、活性化によってその表面は水との接触角でほぼ０〜２０度程度まで親水化され、かかる親水化によって汚染物質は付着しにくくなり、例え付着しても降雨等によって容易に洗い流されるようになる。
【００６４】以上、本発明は自然の降雨によって防音パネル１の洗浄を行うものであり、設置されて降雨に晒される面と降雨に晒されにくい面とが生じる場合、例えば高架道路の下に設置されたり、道路の上方に湾曲して設置された場合において極めて効果的であり、又面板２に枠材３，４が取付けられた防音パネル１の上枠材３の真下、防音パネル１の上部に笠木６や防音装置等８が取付けられた場合は、その笠木６や防音装置等８の真下等の降雨に晒されにくい箇所の洗浄も効果的である。」
　
　エ　「【００６７】
【発明の効果】本発明に係る請求項１〜１３に記載の防音パネルの洗浄構造によれば、降った雨水が防音パネルの内側の面上に導かれ、その導かれた雨水により内側の面上に付着した汚染物質が洗い流される。従って、防音パネルが高架道路の下に設置されたり、道路の上方に湾曲して設置された場合等においても、降雨に晒されにくい道路側となる防音パネルの内側の面も自然の降雨によって効果的に洗浄される。
【００６８】〜【００７１】は省略。
【００７２】又本発明に係る請求項１９に記載の防音パネルの洗浄構造によれば、防音パネルの内側及び／又は外側の面上に光触媒含有層が形成され、光触媒含有層に紫外線を照射することにより光触媒が活性化されてその表面が親水化されているので、汚染物質が付着しにくく、又付着した汚染物質は雨水により効果的に洗浄される。すなわち二酸化チタン等の光触媒は、紫外線を照射することにより活性化されて強い酸化力を発現すると共にその表面は親水化され、塵埃や車両の排気ガス等の汚染物質が表面に付着しても、強い酸化力によって汚染物質が分解されると共に、親水化された表面によって、表面に付着する汚染物質と表面との間に水が割り込んで汚染物質を浮かせるために付着しにくく、また付着しても降雨により容易に洗い流されて除去されるため、汚染物質が堆積しにくくなる。
【００７３】又本発明に係る請求項２０に記載の防音壁によれば、上記の如き防音パネルの洗浄構造を備えているので、降雨の度ごとに防音パネルが洗浄されるので、汚染により景観を損なうとか透視性が損なわれるとか言った問題等が解消される。」
　
　オ　上記アないしエからみて、引用例には次の発明（以下「引用発明」という。）が記載されているものと認める。
「透視性を有するか又は不透明な面板２ａ，２ｂに長手方向の上枠材３及び下枠材４、左右の縦枠材が配置され、これら上枠材３及び下枠材４等に形成された差込溝３１，４１に面板２ａ，２ｂの端部が挿入されて形成されている防音パネル１であって、
　上下に隣接する上段の防音パネル１ａの下部より下段の防音パネル１ｂの上部にかけて形成された導水孔５は、その入口を上段の防音パネル１ａの外側の面１１とし、出口を下段の防音パネル１ｂの内側の面１２として、上段の防音パネル１ａの下枠材４の下面と下段の防音パネル１ｂの上枠材３の上面との間に設けられた隙間と、その隙間に連通して下段の防音パネル１ｂの上枠材３の差込溝３１の一方の内壁３２とその面板２ｂの内側の面１２との間に設けた隙間とにより形成されており、
　防音パネル１の内側の面１２及び／又は外側の面１１上に光触媒含有層を形成し、光触媒含有層に紫外線を照射することにより光触媒を活性化され、その表面を親水化することにより、
　上段の防音パネル１ａの外側の面１１上に降った雨水Ｗが、導水孔５を伝って下段の防音パネル１ｂの内側の面１２上に導かれて、防音パネル１の外側の面１１は直接に雨水Ｗが降りかかるために洗浄され、又防音パネル１の内側の面１２は導水孔５から導かれた雨水Ｗによって洗浄され、特に雨水Ｗが少量の場合は、雨水Ｗは、表面張力を有しているために、導水孔５の入口から出口に通ずる各内壁に付着しつつ伝って流れるものであって、また汚染物質が付着しにくく、又付着した汚染物質は雨水Ｗにより効果的に洗浄される、防音パネル１。」
　
（２）対比
　そこで、本願補正発明と引用発明とを対比する。
　ア　引用発明の「面板２ａ，２ｂ」は、その構成・機能からみて、本願補正発明の「面板」に相当し、以下同様に、
「上枠材３」と「下枠材４」と「左右の縦枠材」は、「枠材」に、
「防音パネル１」は、「防音パネル」に、
「導水孔５」は、「導水路」に、
「隙間」は、「隙間」に、それぞれ相当する。
　
　イ　引用発明の「透視性を有するか又は不透明な面板２ａ，２ｂに長手方向の上枠材３及び下枠材４、適宜左右の縦枠材が配置され」た「防音パネル１」は、本願補正発明の「面板の周囲に枠材が配置された防音パネル」に相当する。
　
　ウ　引用発明の「上下に隣接する上段の防音パネル１ａの下部より下段の防音パネル１ｂの上部にかけて形成された導水孔５」は、本願補正発明の「上方から流下する雨水を面板の一方の面に導く導水路」に相当する。
　
　エ　引用発明の「導水孔５は、」「下段の防音パネル１ｂの上枠材３の差込溝３１の一方の内壁３２とその面板２ｂの内側の面１２との間に設けた隙間とにより形成され」ることは、本願補正発明の「該導水路においては雨水が導かれる前記面板の内側の面と前記面板の上部に配置された上枠材の内側面との間に雨水が伝わる隙間が形成され」ることに相当する。
　
　オ　引用発明の「防音パネル１の内側の面１２及び／又は外側の面１１上に光触媒含有層を形成し、光触媒含有層に紫外線を照射することにより光触媒を活性化され、その表面を親水化すること」と、本願補正発明の「雨水が導かれる前記面板の内側の面には前記幅狭部の部分を含めて親水性が付与されて」いることとは、「雨水が導かれる前記面板の内側の面には親水性が付与されて」いることで共通する。
　
　カ　引用発明において、「雨水Ｗが、導水孔５を伝って下段の防音パネル１ｂの内側の面１２上に導かれ」るものであって、「特に雨水Ｗが少量の場合は、雨水Ｗは、表面張力を有しているために、導水孔５の入口から出口に通ずる各内壁に付着しつつ伝って流れるものである」から、引用発明の雨水Ｗの水滴は、導水孔５において、面板２ｂの内側の面と接触しながら、当該内側の面へ導かれていることは明らかである。
　したがって、引用発明の「上段の防音パネル１ａの外側の面１１上に降った雨水Ｗが、導水孔５を伝って下段の防音パネル１ｂの内側の面１２上に導かれて」いることと、本願補正発明の「雨水が導かれる前記面板の内側の面には前記幅狭部の部分を含めて親水性が付与されて前記幅狭部へ流れ落ちた雨水の水滴が前記面板の内側の面に接触して、該内側の面へ導かれるようになされて」いることとは、「流れ落ちた雨水の水滴が前記面板の内側の面に接触して、該内側の面へ導かれるようになされて」いることで共通している。
　
　キ　上記カで説示したことからみて、引用発明の「上段の防音パネル１ａの外側の面１１上に降った雨水Ｗが、導水孔５を伝って下段の防音パネル１ｂの内側の面１２上に導かれて、」「防音パネル１の内側の面１２は導水孔５から導かれた雨水Ｗによって洗浄され」ることは、本願補正発明の「前記上枠材の内側面の面上を流れ落ちる雨水の水滴の端部分が前記面板の内側の面と接触し、該内側の面へ導かれて洗浄する」ことに相当する。
　ク　上記アないしキからみて、本願補正発明と引用発明とは、以下の点で一致している。
（一致点）面板の周囲に枠材が配置された防音パネルであって、
上方から流下する雨水を面板の一方の面に導く導水路が設けられ、
該導水路においては雨水が導かれる前記面板の内側の面と前記面板の上部に配置された上枠材の内側面との間に雨水が伝わる隙間が形成され、
雨水が導かれる前記面板の内側の面には親水性が付与され、
流れ落ちた雨水の水滴が前記面板の内側の面に接触して、該内側の面へ導かれるようになされており、　
前記上枠材の内側面の面上を流れ落ちる雨水の水滴の端部分が前記面板の内側の面と接触し、該内側の面へ導かれて洗浄するようになされている防音パネル。
　
　そして、下記の点で相違している。
（相違点１）雨水が伝わる隙間において、本願補正発明は、該隙間の全部又は一部に１ｍｍ以上２ｍｍ以下の大きさに形成された幅狭部が形成されているのに対し、引用発明は、上記の様に特定された幅狭部が形成されているかどうか不明な点。
（相違点２）雨水が導かれる前記面板の内側の面において、親水性が付与されているところが、本願補正発明は、幅狭部の部分を含めているのに対し、引用発明は、幅狭部の部分まで含めているかどうか不明な点。
　
（３）判断
　上記相違点１及び２について検討する。
　ア　相違点１
　引用発明は、上段の防音パネル１ａの外側の面１１上に降った雨水Ｗが、導水孔５を伝って下段の防音パネル１ｂの内側の面１２上に導くものであって、特に雨水Ｗが少量の場合は、雨水Ｗは、表面張力を有しているために、導水孔５の入口から出口に通ずる各内壁に付着しつつ伝って流れるので、その出口である、下段の防音パネル１ｂの上枠材３の差込溝３１の一方の内壁３２とその面板２ｂの内側の面１２との間に設けた隙間では、内壁、つまり面板２ｂの内側の面１２に雨水Ｗが付着しつつ流れてくることは自明である。
　雨水Ｗが少量の場合、仮に上記隙間が雨水Ｗの水滴と比して大きいと、面板２ｂの内側の面１２に雨水Ｗが付着することはできないので、上記隙間の大きさは、雨水Ｗの水滴が面板２ｂの内側の面１２に付着できる程度まで小さくした幅の狭い部分を形成する必要があること、さらに当該隙間が小さすぎると雨水Ｗが流れないことは、当業者であれば当然に気付く事項である。
　また、隙間が大きすぎると、雨水が導かれにくくなることは自明である。
　そして、雨水Ｗの水滴の接触及び隙間をなされることを考慮して、幅の狭い部分の隙間の大きさを決定することは当業者の通常の創作能力の発揮であって、引用発明の隙間に、１ｍｍ以上２ｍｍ以下の大きさに形成された幅狭部を形成して、上記相違点１に係る本願補正発明の構成とすることは、当業者が容易になし得た程度のことである。
　なお、１ｍｍ〜２ｍｍの数値限定について、本願明細書中に臨界的意義に関する記載もないことからも、当業者がその数値を選択することは、格別困難なことでもない。
　
　イ　相違点２
　引用発明は、防音パネル１の内側の面１２及び／又は外側の面１１上に光触媒含有層を形成し、光触媒含有層に紫外線を照射することにより光触媒を活性化され、その表面を親水化していることから、防音パネル１の面板２ｂも表裏面の大部分が親水化されている。
　ここで、面板２ｂの上記隙間の部分まで親水化されているかどうか不明であるものの、面板２ｂの大部分を親水化しているのであれば、その端部に当たる上記隙間の部分まで親水化することは、当業者であれば、技術常識に照らして、容易に想起しえることである。
　また、引用発明は、親水化することにより、汚染物質が付着しにくく、また付着した汚染物質が雨水Ｗにより効果的に洗浄される効果を有することを勘案すれば、隙間の部分においても汚染物質が付着して溜まらない方が良いことは、当業者が当然気付く事項であるので、面板２ａ，２ｂにおける隙間の部分も親水化することにより、上記相違点２に係る本願補正発明の構成とすることは、当業者が容易になし得た程度のことである。
　
　ウ　小括
　また、本願補正発明の作用効果は、引用発明の作用効果から当業者が予測し得る程度のことである。
　したがって、本願補正発明は、引用発明に基いて当業者が容易に発明をすることができたものであるから、特許法第２９条第２項の規定により特許出願の際独立して特許を受けることができないものである。
　
（４）まとめ
　以上のとおりであるから、本願補正発明は、特許法第１７条の２第６項において準用する同法第１２６条第７項に規定に違反するので、同法第１５９条第１項の規定において読み替えて準用する同法第５３条第１項の規定により却下すべきものである。
　よって、補正却下の結論のとおり決定する。
　
　
第３　本願発明
１　本願発明
　平成２６年４月２４日付け手続補正は却下されたので、本願の請求項１ないし２に係る発明は、平成２６年１月８日付け手続補正により補正された特許請求の範囲の請求項１ないし２に記載された事項により特定されるところ、そのうち請求項１に係る発明（以下「本願発明」という。）は、上記「第２〔理由〕１（１）」の本件補正前として記載したとおりである。
　
２　引用例
　引用例には、上記「第２〔理由〕３（１）」に記載したとおりの発明が記載されているものと認められる。
　
３　対比・判断
　本願発明は、前記「第２」で検討した本願補正発明から、「上枠材の内側面と前記面板の内側の面との間に形成された１ｍｍ以上２ｍｍ以下の大きさの前記幅狭部において、前記上枠材の内側面の面上を流れ落ちる雨水の水滴の端部分が前記面板の内側の面と接触し、該内側の面へ導かれて洗浄するようになされている」という発明特定事項を省いたものである。
　そうすると、本願発明を特定するために必要な事項をすべて含み、さらに他の事項を付加したものに相当する本願補正発明が、前記「第２〔理由〕３（３）」に記載したとおり、引用発明に基いて当業者が容易に発明をすることができたものであるから、本願発明も同様の理由により、引用発明に基いて当業者が容易に発明をすることができたものである。
　したがって、本願発明は、特許法第２９条第２項の規定により特許を受けることができない。
　
　
第４　むすび
　以上のとおり、本願発明は、特許法第２９条第２項の規定により特許を受けることができないものであるから、本願の他の請求項に係る発明について検討するまでも無く、本願は拒絶すべきものである。
　よって、結論のとおり審決する。